Podtech/llm-jp-corpus-v4-ja_patent huggingface dataset:
【手続補正書】
【提出日】平成18年4月21日(2006.4.21)
【手続補正１】
【補正対象書類名】特許請求の範囲
【補正対象項目名】全文
【補正方法】変更
【補正の内容】
【特許請求の範囲】
【請求項１】
右足固定台を循環軌道に沿って移動させる右駆動部と、左足固定台を前記右足固定台に対して前記軌道の循環周期の半周期ずらして、前記循環軌道に沿って移動させる左駆動部を備え、被訓練者の左右の足を、前記左右の足固定台に固定して、前記左右の駆動部を駆動して前記被訓練者の下肢の運動訓練を行うことを特徴とする下肢訓練装置。
【請求項２】
前記左右の駆動部はそれぞれ前記足固定台と前記足固定台を移動させるベルトとから構成され、前記ベルトは前記循環軌道に沿って循環することを特徴とする請求項１に記載の下肢訓練装置。
【請求項３】
前記左右の足固定台の下に、前記左右の駆動部と平行に動くトレッドミルであって、前記足固定台の移動によって受動的に動くトレッドミルを備え、前記足固定台の爪先に前記足固定台と前記トレッドミルを一時的に連結する吸着機構を備えることを特徴とする請求項１または請求項２に記載の下肢訓練装置。
【請求項４】
前記足固定台は前記訓練者の爪先が持ち上がるように前記被訓練者の足関節を付勢する背屈バネを介して前記駆動部に取り付けられたことを特徴とする請求項１ないし請求項３のいずれかに記載の下肢訓練装置。
【請求項５】
前記足固定台は前記トレッドミルに押し付ける押し付けバネを介して前記駆動部に取り付けられたことを特徴とする請求項１ないし請求項４のいずれかに記載の下肢訓練装置。
【請求項６】
前記吸着機構は前記背屈バネのトルクによって前記足固定台の爪先が前記トレッドミルから離れることはなく、前記足固定台が前記駆動部によって持ち上げられるときは、前記爪先が前記トレッドミルから離れるように調整されたことを特徴とする請求項４または請求項５に記載の下肢訓練装置。
【手続補正２】
【補正対象書類名】明細書
【補正対象項目名】０００４
【補正方法】変更
【補正の内容】
【０００４】
上記問題を解決するため、本発明は右足固定台を循環軌道に沿って移動させる右駆動部と、左足固定台を前記右足固定台に対して前記軌道の循環周期の半周期ずらして、前記循環軌道に沿って移動させる左駆動部を備え、被訓練者の左右の足を、前記左右の足固定台に固定して、前記左右の駆動部を駆動して前記被訓練者の下肢の運動訓練を行うものである。また、前記左右の駆動部はそれぞれ前記足固定台と前記足固定台を移動させるベルトとから構成され、前記ベルトは前記循環軌道に沿って循環するものである。また、前記左右の足固定台の下に、前記左右の駆動部と平行に動くトレッドミルであって、前記足固定台の移動によって受動的に動くトレッドミルを備え、前記足固定台の爪先に前記足固定台と前記トレッドミルを一時的に連結する吸着機構を備えるものである。また、前記足固定台は前記被訓練者の爪先が持ち上がるように前記訓練者の足関節を付勢する背屈バネを介して前記駆動部に取り付けるものである。また、前記足固定部を前記トレッドミルに押し付ける押し付けバネを介して前記駆動部に取り付けるものである。また、前記吸着機構を前記背屈バネのトルクによって前記足固定台の爪先が前記トレッドミルから離れることはなく、前記足固定台が前記駆動部によって持ち上げられるときは、前記爪先が前記トレッドミルから離れるように調整するものである。
【手続補正３】
【補正対象書類名】明細書
【補正対象項目名】０００８
【補正方法】変更
【補正の内容】
【０００８】
図２は、本発明の下肢訓練装置の動作を説明する図である。図１において説明した構成要素については同じ符号を付している。 
図のＡの位置にあるとき、左足固定部２Ｌは爪先に備えた吸着機構１０でトレッドミル９に吸着されるとともに、押し付けバネ１１でトレッドミル９に押し付けられている。そのため左足固定部２Ｌが、ベルト７によって後に動くとトレッドミル９も後ろ向きに動く、また左足固定部２ＬがＡの位置からトレッドミル９の後端まで動く間は、左足固定部２Ｌはトレッドミル９に対して平行、つまり水平を保つ。
左足固定部２Ｌが、トレッドミル９の後端に達するとベルト７によって、左足固定部２Ｌはトレッドミル９から離れる。そうすると背屈バネ１２の働きで、左足固定部２Ｌは被訓練者の足関節を背屈させる方向に回転する（Ｂの位置）。
左足固定部２Ｌは、ベルト７の動きにしたがって図のＣおよびＤの位置を通って、前に進む、この間、足関節は背屈バネ１２の働きで背屈される。
左足固定部２Ｌは、図のＥの位置に達すると、再びトレッドミル９に接する。
以上の過程を繰り返して、左足固定部２Ｌは前後に循環運動する。また、右足固定部２Ｒ（図２には図示しない）は、左足固定部２Ｌに対して、半周期遅れて同様の動作をする。
なお、本実施例ではベルト７の軌道の前後端とトレッドミル９の前後端がほぼ同じ位置になるように配置したが、トレッドミル９はベルト７の前後端より、更に前又は後に延びていてもよい。
【手続補正４】
【補正対象書類名】明細書
【補正対象項目名】０００９
【補正方法】変更
【補正の内容】
【０００９】
図３は本発明の下肢訓練装置の正面図（概念図）である。図１および図２において説明した構成要素については同じ符号を付しているので説明を省略する。
トレッドミル９は右足駆動機構３Ｒおよび左足駆動機構３Ｌの間に挟まれる位置に備えられる。右足固定台２Ｒおよび左足固定台２Ｌの爪先裏部に備えられた吸着機構１０は、トレッドミル９と右足固定台２Ｒおよび左足固定台２Ｌの爪先部にいわゆる面ファスナー（例えばマジックテープ（商標））を備えるもの、またはトレッドミル９に鉄粉を含ませ右足固定台２Ｒおよび左足固定台２Ｌの爪先部にマグネットを備えるもの、トレッドミル９にマグネットを備え右足固定台２Ｒおよび左足固定台２Ｌの爪先部に鉄板を備えるもの、あるいは右足固定台２Ｒおよび左足固定台２Ｌの爪先部に吸盤を備えるものなどが考えられるが、他の手段でもよい。
吸着機構１０の吸着力は背屈バネ１２のトルクによって足固定台２Ｒ、２Ｌの爪先がトレッドミル９から離れることはなく、足固定台２Ｒ、２Ｌが駆動部４Ｒ、４Ｌによって持ち上げられるときは、前記爪先部がトレッドミル９から離れるような大きさに調整しておく。
また、立脚期の足関節角度変化を模擬する動作がともなった歩行訓練を行うことができれば、トレッドミルと爪先吸着機構を合わせた機構以外でもよい。
なお、１３は被訓練者の足を足固定台２Ｒ、２Ｌに固定する固定ベルトである。
【手続補正５】
【補正対象書類名】明細書
【補正対象項目名】００１０
【補正方法】変更
【補正の内容】
【００１０】
図４は本発明の下肢訓練装置の左足駆動機構３Ｌの概念図である。図１および図３において説明した構成要素については同じ符号を付しているので説明を省略する。
図に示すように、左足駆動機構３Ｌは、押し付けバネ１１と背屈バネ１２とを備えている。押し付けバネ１１は左足固定台２Ｌをトレッドミル９に押し付けるように付勢するバネである。また、背屈バネ１２は足関節を背屈方向に回転するトルクを発生するバネであり、遊脚期には被訓練者の足関節を背屈させる。
【手続補正書】
【提出日】平成18年7月28日(2006.7.28)
【手続補正１】
【補正対象書類名】特許請求の範囲
【補正対象項目名】全文
【補正方法】変更
【補正の内容】
【特許請求の範囲】
【請求項１】
外枠と、
前記外枠の一側にて開閉可能に支持された内枠と、
前記内枠に装着され、正面側に遊技領域を有する遊技盤と、
前記遊技盤の背面側に設けられ、所定の制御を司るための制御装置と、
背面側係止手段を有し、前記内枠又は遊技盤の背面側に配置された状態で、前記背面側係止手段によって前記背面側に係止され、前記制御装置の少なくとも一部を覆うことで前記制御装置の取外しを規制する規制手段とを具備する遊技機であって、
前記内枠又は遊技盤の正面側において前記規制手段を係止可能な正面側係止手段を設け、少なくとも前記背面側係止手段及び正面側係止手段双方の係止を解除することに基づいて、前記規制手段による前記制御装置の取外しの規制が解除されることを特徴とする遊技機。
【請求項２】
外枠と、
前記外枠の一側にて開閉可能に支持された内枠と、
前記内枠に装着され、正面側に遊技領域を有する遊技盤と、
前記遊技盤の背面側に設けられ、所定の制御を司るための制御装置と、
前記制御手段が固定される裏板と、
背面側係止手段を有し、前記内枠又は遊技盤の背面側に配置された状態で、前記背面側係止手段によって前記背面側に係止され、前記制御装置又は裏板の少なくとも一部を覆うことで前記制御装置又は裏板の取外しを規制するための規制手段とを具備する遊技機であって、
前記内枠又は遊技盤の正面側において前記規制手段を係止可能な正面側係止手段を設け、少なくとも前記背面側係止手段及び正面側係止手段双方の係止を解除することに基づいて、前記規制手段による前記制御装置又は裏板の取外しの規制が解除されることを特徴とする遊技機。
【請求項３】
前記遊技領域の視認を許容し、前記遊技盤の前面側に位置するとともに、前記内枠の一側にて開閉可能に支持された前面部材と、
前記前面部材の閉状態を維持するための施錠機構とを具備し、
前記施錠機構の施錠を解除し、前記前面部材を開状態とすることで、前記正面側係止手段の係止の解除が許容されることを特徴とする請求項１又は２に記載の遊技機。
【請求項４】
前記施錠機構は、前記前面部材の開閉軸とは反対側に設けられ、前記正面側係止手段は、前記施錠機構側に設けられていることを特徴とする請求項３に記載の遊技機。
【請求項５】
前記正面側係止手段の最前部が、前記内枠の最前部よりも後側に没入した状態で設けられていることを特徴とする請求項１乃至４のいずれかに記載の遊技機。
【請求項６】
前記正面側係止手段の最前部が、前記遊技盤の最前部よりも後側に没入した状態で設けられていることを特徴とする請求項１乃至５のいずれかに記載の遊技機。
【手続補正書】
【提出日】平成18年7月3日(2006.7.3)
【手続補正１】
【補正対象書類名】特許請求の範囲
【補正対象項目名】請求項５
【補正方法】変更
【補正の内容】
【請求項５】
遊技台に対応し、かつ、遊技中の会員の会員特定情報を読み取る会員特定手段と、会員に対する個別サービスに関連する行動履歴を会員特定情報毎に記憶した会員情報記憶手段と、遊技台毎の遊技台データを記憶した遊技台データ記憶手段と、これら会員特定手段、会員情報記憶手段および遊技台データ記憶手段に接続したデータ処理手段とを備え、データ処理手段は、上記会員特定手段に対応する遊技台の遊技状況を取り込む機能と、取り込んだ遊技状況を遊技台データ記憶手段に記憶させる機能と、遊技台データと特定の会員の行動履歴とから、特定の遊技状況が発生してから予め設定した所定時間内に特定の行動があったかどうかを判断する機能と、上記特定の行動があった場合には、上記特定の会員が現在遊技中の遊技台で上記特定の遊技状況が発生してから予め設定した所定時間内に個別サービスを提供するためのトリガ信号を出力する機能とを備えた個別サービス提供システム。
【手続補正２】
【補正対象書類名】明細書
【補正対象項目名】０００９
【補正方法】変更
【補正の内容】
【０００９】
第５の発明は、遊技台に対応し、かつ、遊技中の会員の会員特定情報を読み取る会員特定手段と、会員に対する個別サービスに関連する行動履歴を会員特定情報毎に記憶した会員情報記憶手段と、遊技台毎の遊技台データを記憶した遊技台データ記憶手段と、これら会員特定手段、会員情報記憶手段および遊技台データ記憶手段に接続したデータ処理手段とを備え、データ処理手段は、上記会員特定手段に対応する遊技台の遊技状況を取り込む機能と、取り込んだ遊技状況を遊技台データ記憶手段に記憶させる機能と、遊技台データと特定の会員の行動履歴とから、特定の遊技状況が発生してから予め設定した所定時間内に特定の行動があったかどうかを判断する機能と、上記特定の行動があった場合には、上記特定の会員が現在遊技中の遊技台で上記特定の遊技状況が発生してから予め設定した所定時間内に個別サービスを提供するためのトリガ信号を出力する機能とを備えた点に特徴を有する。
【手続補正３】
【補正対象書類名】明細書
【補正対象項目名】００１１
【補正方法】変更
【補正の内容】
【００１１】
第１〜６の発明では、会員の行動履歴に基づいて個別サービスの提供タイミングを特定しているので、遊技中の会員遊技者に提供する様々なサービスを、個々の会員に対して最適なタイミングで提供できるようになる。
第１、第２の発明によれば、出力されるトリガ信号に基づいて、スタッフがサービスの準備をすることができるので、会員の要求に迅速に対応できる。
特に、第２の発明では、現在遊技中の遊技台や、機種によって絞り込んだ会員の行動履歴に基づいて、個別サービスの提供タイミングを特定するようにしているので、遊技台や機種によって会員の行動が影響を受ける場合にも、的確な個別サービス提供タイミングを特定できるようになる。
【手続補正書】
【提出日】平成18年7月4日(2006.7.4)
【手続補正１】
【補正対象書類名】特許請求の範囲
【補正対象項目名】全文
【補正方法】変更
【補正の内容】
【特許請求の範囲】
【請求項１】
異なる日時に取得された被検体の頭部、頸部、胸部、腹部、及び脚部を含む部位の医用画像を、取得日時及び部位と関連付けて格納する画像格納手段と、
被検体の部位ごとの異常陰影検出アルゴリズムを記憶する記憶手段と、
前記記憶手段に記憶された異常陰影検出アルゴリズムから、前記医用画像の部位に対する異常陰影検出アルゴリズムを選択する選択手段と、
該選択された異常陰影検出アルゴリズムを用いて、前記画像格納手段に格納された医用画像の異常陰影の検出を行う検出手段と、
前記検出手段によって検出された結果を表示する表示手段と、
を備える異常陰影検出装置。
【請求項２】
前記医用画像は所定のスライス間隔で取得された断層像であって、前記画像格納手段には該断層像が格納されており、
前記検出手段は、異常陰影を検出する際に、前記断層像を前記スライス間隔以下の間隔で補間した断層像を作成することを特徴とする、
請求項１に記載の異常陰影検出装置。
【請求項３】
前記検出手段は、異常陰影を検出する際に、前記作成した断層像から取得日時の異なる同一位置の断層像を選択し、該選択した断層像を差分演算することを特徴とする、請求項１又は２のいずれかに記載の異常陰影検出装置。
【手続補正２】
【補正対象書類名】明細書
【補正対象項目名】０００５
【補正方法】変更
【補正の内容】
【０００５】
上記目的を達成するために、請求項１に係る異常陰影検出装置は、異なる日時に取得された被検体の頭部、頸部、胸部、腹部、及び脚部を含む部位の医用画像を、取得日時及び部位と関連付けて格納する画像格納手段と、被検体の部位ごとの異常陰影検出アルゴリズムを記憶する記憶手段と、前記記憶手段に記憶された異常陰影検出アルゴリズムから、前記医用画像の部位に対する異常陰影検出アルゴリズムを選択する選択手段と、該選択された異常陰影検出アルゴリズムを用いて、前記画像格納手段に格納された医用画像の異常陰影の検出を行う検出手段と、前記検出手段によって検出された結果を表示する表示手段と、を備えている。
【手続補正３】
【補正対象書類名】明細書
【補正対象項目名】０００７
【補正方法】変更
【補正の内容】
【０００７】
請求項２に係る異常陰影検出装置は、請求項１に記載の異常陰影検出装置において、前記医用画像は所定のスライス間隔で取得された断層像であって、前記画像格納手段には該断層像が格納されており、前記検出手段は、異常陰影を検出する際に、前記断層像を前記スライス間隔以下の間隔で補間した断層像を作成することを特徴としている。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
請求項２に係る異常陰影検出装置では、断層像のスライス厚以下の間隔で異常陰影の検出を行うことができる。また、多数の断層像をあらかじめ格納しておく必要がなく、必要な部位の断層像を異常陰影検出の際に作成すればよいので、記憶容量を削減できる。
【手続補正６】
【補正対象書類名】明細書
【補正対象項目名】００１０
【補正方法】変更
【補正の内容】
【００１０】
請求項３に係る異常陰影検出装置は、請求項１又は２のいずれかに記載の異常陰影検出装置において、前記検出手段は、異常陰影を検出する際に、前記作成した断層像から取得日時の異なる同一位置の断層像を選択し、該選択した断層像を差分演算することを特徴としている。
【手続補正７】
【補正対象書類名】明細書
【補正対象項目名】００１１
【補正方法】変更
【補正の内容】
【００１１】
請求項３に係る異常陰影検出装置では、取得日時の異なる同一位置の断層像を選択して差分演算を行うので、異常陰影の経時変化をいっそう容易に確認することができる。
【手続補正書】
【提出日】平成18年10月30日(2006.10.30)
【手続補正１】
【補正対象書類名】特許請求の範囲
【補正対象項目名】全文
【補正方法】変更
【補正の内容】
【特許請求の範囲】
【請求項１】
Ｎ末端のメチオニン残基がホルミル化されていてもよい、配列番号：１または配列番号：２１で表されるアミノ酸配列と同一もしくは実質的に同一のアミノ酸配列からなるペプチド、そのアミドもしくはそのエステルまたはその塩。
【請求項２】
Ｎ末端のメチオニン残基がホルミル化されていてもよい、配列番号：１で表されるアミノ酸配列と同一もしくは実質的に同一のアミノ酸配列からなる請求項１記載のペプチド、そのアミドもしくはそのエステルまたはその塩。
【請求項３】
Ｎ末端のメチオニン残基がホルミル化されている配列番号：１または配列番号：１６で表されるアミノ酸配列からなる請求項１記載のペプチド、そのアミドもしくはそのエステルまたはその塩。
【請求項４】
Ｎ末端のメチオニン残基がホルミル化されている配列番号：２１または配列番号：２２で表されるアミノ酸配列からなる請求項１記載のペプチド、そのアミドもしくはそのエステルまたはその塩。
【請求項５】
Ｎ末端のメチオニン残基がホルミル化され、Ｃ末端のイソロイシン残基が修飾されている配列番号：２１または配列番号：２２で表されるアミノ酸配列からなる請求項１記載のペプチド、そのアミドもしくはそのエステルまたはその塩。
【請求項６】
Ｎ末端のメチオニン残基がホルミル化されていてもよい、配列番号：１７または配列番号：２３で表されるアミノ酸配列と同一もしくは実質的に同一のアミノ酸配列からなるペプチド、そのアミドもしくはそのエステルまたはその塩。
【請求項７】
Ｎ末端のメチオニン残基がホルミル化されていてもよい、配列番号：１７で表されるアミノ酸配列と同一もしくは実質的に同一のアミノ酸配列からなる請求項６記載のペプチド、そのアミドもしくはそのエステルまたはその塩。
【請求項８】
Ｎ末端のメチオニン残基がホルミル化されている配列番号：１７、配列番号：１８、配列番号：１９または配列番号：２０で表されるアミノ酸配列からなる請求項６記載のペプチド、そのアミドもしくはそのエステルまたはその塩。
【請求項９】
Ｎ末端のメチオニン残基がホルミル化されている配列番号：２３または配列番号：２４で表されるアミノ酸配列からなる請求項６記載のペプチド、そのアミドもしくはそのエステルまたはその塩。
【請求項１０】
請求項１記載のペプチド、そのアミドもしくはそのエステルまたはその塩を含有してなる医薬。
【請求項１１】
請求項６記載のペプチド、そのアミドもしくはそのエステルまたはその塩を含有してなる医薬。
【請求項１２】
細胞遊走刺激剤である請求項１０または１１記載の医薬。
【請求項１３】
抗炎症剤である請求項１０または１１記載の医薬。
【請求項１４】
請求項１記載のペプチド、そのアミドもしくはそのエステルまたはその塩に対する抗体。
【請求項１５】
請求項６記載のペプチド、そのアミドもしくはそのエステルまたはその塩に対する抗体。
【請求項１６】
請求項１４記載の抗体を含有してなる医薬。
【請求項１７】
請求項１５記載の抗体を含有してなる医薬。
【請求項１８】
細胞遊走抑制剤である請求項１６または１７記載の医薬。
【請求項１９】
感染症の予防・治療剤である請求項１６または１７記載の医薬。
【請求項２０】
（１）配列番号：２で表わされるアミノ酸配列と同一もしくは実質的に同一のアミノ酸配列を含有するＧ蛋白質共役型レセプター蛋白質、その部分ペプチドまたはその塩および（２）(i)請求項１記載のペプチド、そのアミドもしくはそのエステルまたはその塩または(ii)該レセプター蛋白質またはその塩と請求項１記載のペプチド、そのアミドもしくはそのエステルまたはその塩との結合性を変化させる化合物またはその塩を用いることを特徴とする該レセプター蛋白質またはその塩と請求項１記載のペプチド、そのアミドもしくはそのエステルまたはその塩との結合性またはシグナル伝達を変化させる化合物またはその塩のスクリーニング方法。
【請求項２１】
（１）配列番号：２で表わされるアミノ酸配列と同一もしくは実質的に同一のアミノ酸配列を含有するＧ蛋白質共役型レセプター蛋白質、その部分ペプチドまたはその塩および（２）(i)請求項６記載のペプチド、そのアミドもしくはそのエステルまたはその塩または(ii)該レセプター蛋白質またはその塩と請求項６記載のペプチド、そのアミドもしくはそのエステルまたはその塩との結合性を変化させる化合物またはその塩を用いることを特徴とする該レセプター蛋白質またはその塩と請求項６記載のペプチド、そのアミドもしくはそのエステルまたはその塩との結合性またはシグナル伝達を変化させる化合物またはその塩のスクリーニング方法。
【請求項２２】
配列番号：２で表わされるアミノ酸配列と同一もしくは実質的に同一のアミノ酸配列を含有するＧ蛋白質共役型レセプター蛋白質が、配列番号：２、配列番号：４または配列番号：６で表わされるアミノ酸配列からなるＧ蛋白質共役型レセプター蛋白質である請求項２０または２１記載のスクリーニング方法。
【請求項２３】
（１）配列番号：２で表わされるアミノ酸配列と同一もしくは実質的に同一のアミノ酸配列を含有するＧ蛋白質共役型レセプター蛋白質、その部分ペプチドまたはその塩および（２）(i)請求項１記載のペプチド、そのアミドもしくはそのエステルまたはその塩または(ii)該レセプター蛋白質またはその塩と請求項１記載のペプチド、そのアミドもしくはそのエステルまたはその塩との結合性を変化させる化合物またはその塩を含有することを特徴とする該レセプター蛋白質またはその塩と請求項１記載のペプチド、そのアミドもしくはそのエステルまたはその塩との結合性またはシグナル伝達を変化させる化合物またはその塩のスクリーニング用キット。
【請求項２４】
（１）配列番号：２で表わされるアミノ酸配列と同一もしくは実質的に同一のアミノ酸配列を含有するＧ蛋白質共役型レセプター蛋白質、その部分ペプチドまたはその塩および（２）(i)請求項６記載のペプチド、そのアミドもしくはそのエステルまたはその塩または(ii)該レセプター蛋白質またはその塩と請求項６記載のペプチド、そのアミドもしくはそのエステルまたはその塩との結合性を変化させる化合物またはその塩を含有することを特徴とする該レセプター蛋白質またはその塩と請求項６記載のペプチド、そのアミドもしくはそのエステルまたはその塩との結合性またはシグナル伝達を変化させる化合物またはその塩のスクリーニング用キット。
【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
機体側に、回転自在に支持された第１回転体（１６１）と、第１回転体（１６１）の遊端側に、回転自在に支持された第２回転体（１６２）と、第２回転体（１６２）の遊端側に回転自在に支持された回転支持軸（１６３）とを備え、この回転支持軸（１６３）に支持部材（１６４）を介して植付カップ（１５５）が支持され、第１回転体（１６１）の回転に連動して、第２回転体（１６２）を第１回転体（１６１）とは逆方向に回転させると共に、回転支持軸（１６３）を第２回転体（１６１）とは逆方向に回転させて、植付カップ（１５５）を上下運動させるようにした移植機の植付カップ駆動機構において、
第１回転体（１６１）の回転に伴って植付カップ（１５５）が機体側に対して前後に膨らみのある上下運動をするように、回転支持軸（１６３）の回転速度を、１回転毎の回転周期内で変動させるようにしたことを特徴とする移植機の植付カップ駆動機構。
【請求項２】
機体側に、回転自在に支持された第１回転体（１６１）と、第１回転体（１６１）の遊端側に、回転自在に支持された第２回転体（１６２）と、第２回転体（１６２）の遊端側に回転自在に支持された回転支持軸（１６３）とを備え、この回転支持軸（１６３）に支持部材（１６４）を介して植付カップ（１５５）が支持され、第１回転体（１６１）の回転に連動して、第２回転体（１６２）を第１回転体（１６１）とは逆方向に回転させると共に、回転支持軸（１６３）を第２回転体（１６２）とは逆方向に回転させて、植付カップ（１５５）を上下運動させるようにした移植機の植付カップ駆動機構において、
第１回転体（１６１）の回転に伴って植付カップ（１５５）が機体側に対して前後に膨らみのある上下運動をするように、回転支持軸（１６３）の回転速度を、１回転毎の回転周期内で第２回転体（１６２）の回転速度に対して相対的に変動させるようにしたことを特徴とする移植機の植付カップ駆動機構。
【請求項３】
前記支持部材（１６４）は回転支持軸（１６３）から前後方向に突設され、第１回転体（１６１）の回転に伴って、支持部材（１６４）が機体側に対して上下揺動して、植付カップ（１５５）が下降時に前側に変位する共に上昇時に後側に変位して前後に膨らみのある上下運動をするように、回転支持軸（１６３）の回転周期を第２回転体（１６２）の回転周期と同一に保持させながら、回転支持軸（１６３）の回転速度を１回転毎の回転周期内で規則的に変動させるようにしたことを特徴とする請求項１又は２に記載の移植機の植付カップ駆動機構。
【請求項４】
第２回転体（１６２）の遊端側に、出力回転体（１７４）が基準軸心（Ｘ）廻りに回転自在に支持され、出力回転体（１７４）を第２回転体（１６２）の回転に連動させて第２回転体（１６２）と同一速度で逆方向に回転させる伝動機構（２０２）が設けられ、前記出力回転体（１７４）の基準軸心（Ｘ）に対して偏心した偏心軸心（Ｙ）廻りに前記回転支持軸（１６３）が回転自在に支持され、第２回転体（１６２）に、第１回転体（１６１）の回転に伴って植付カップ（１５５）が機体側に対して前後に膨らみのある上下運動をするように、出力回転体（１７４）の回転動力を前記回転支持軸（１６３）に伝達する伝動機構（２０７）が設けられていることを特徴とする請求項１〜３のいずれか１項に記載の移植機の植付カップ駆動機構。
【請求項５】
前記支持部材（１６４）に対して、第２回転体（１６２）と植付カップ（１５５）とを同一側に配置したことを特徴とする請求項１〜４のいずれか１項に記載の移植機の植付カップ駆動機構。
【請求項６】
機体側に、第１回転軸（１６６）が回転自在に支持され、第１回転軸（１６６）に第１回転体（１６１）が固設され、機体側に第１太陽ギヤ（１６７）が固定され、前記第１回転体（１６１）に、第１太陽ギヤ（１６７）と噛合する第１遊星ギヤ（１６８）が回転自在に支持され、第１回転体（１６１）の遊端側に、第２回転軸（１７１）が回転自在に支持され、第１遊星ギヤ（１６８）と噛合する第１出力ギヤ（１６９）が、第２回転軸（１７１）に固設され、
第２回転軸（１７１）に第２回転体（１６２）が固設され、第１回転体（１６１）に第２太陽ギヤ（１７２）が固定され、前記第２回転体（１６２）に、第２太陽ギヤ（１７２）と噛合する第２遊星ギヤ（１７３）が回転自在に支持され、第２出力ギヤ（１７４）が、第２回転体（１６２）の遊端側に回転自在に支持されると共に第２遊星ギヤ（１７３）に噛合され、
第２出力ギヤ（１７４）の回転動力を前記回転支持軸（１６３）に伝達する伝動機構（２０７）が設けられていることを特徴とする請求項１〜５のいずれか１項に記載の移植機の植付カップ駆動機構。
【請求項７】
第２回転体（１６２）の前記基準軸心（Ｘ）上に基準支持軸（１９２）が設けられ、この基準支持軸（１９２）に、出力回転体（１７４）が基準支持軸（１９２）廻りに回転自在に支持され、基準支持軸（１９２）に前記偏心軸心（Ｙ）と同一の軸心を有する偏心軸部（１９８）が突設され、この偏心軸部（１９８）に前記回転支持軸（１６３）が偏心軸心（Ｙ）廻りに回転自在に外嵌保持されていることを特徴とする請求項４に記載の移植機の植付カップ駆動機構。
【請求項８】
第２回転体（１６２）の遊端側に、前記偏心軸心（Ｙ）を中心とするカム（２２５）が設けられ、カム（２２５）に接当して揺動するカムレバー（２２６）が設けられ、カムレバー（２２６）の揺動によって植付カップ（１５５）を開閉動作させるように、カムレバー（２２６）を植付カップ（１５５）の開閉リンク（２２０ａ）に連結したことを特徴とする請求項４又は７に記載の移植機の植付カップ駆動機構。
【請求項９】
前記カムレバー（２２６）と開閉リンク（２２０ａ）とを連結する連結ロッド（２３０）が、植付カップ（１５５）の支持部材（１６４）と略平行に配置されていることを特徴とする請求項８に記載の移植機の植付カップ駆動機構。
【請求項１０】
スクレーパ（２３７）が前後揺動自在に支持されると共に、スクレーパ（２３７）を前後揺動の中央に付勢する付勢手段（２４０）が設けられ、植付カップ（１５５）が上昇するとき、スクレーパ（２３７）が付勢手段（２４０）により前後揺動の中央に付勢された状態で植付カップ（１５５）内に進入してその内面を摺動し、植付カップ（１５５）が下降するとき、スクレーパ（２３７）が植付カップ（１５５）により後方に押されて後方揺動した状態で植付カップ（１５５）の後外面を摺動するように構成されていることを特徴とする請求項１〜９のいずれか１項に記載の移植機の植付カップ駆動機構。
【手続補正書】
【提出日】平成18年7月14日(2006.7.14)
【手続補正１】
【補正対象書類名】特許請求の範囲
【補正対象項目名】全文
【補正方法】変更
【補正の内容】
【特許請求の範囲】
【請求項１】
配列番号１記載のオプティニューリン遺伝子の塩基配列において、少なくとも１箇所の塩基の変異を検出することにより、緑内障の発症リスクを予測する、緑内障発症リスクの予測方法。
【請求項２】
前記変異が、６１９位の変異及び８９８位の変異からなる群より選択される、請求項１記載の方法。
【請求項３】
前記６１９位の変異が、ＡからＧへの置換である、請求項２記載の方法。
【請求項４】
前記８９８位の変異が、ＧからＡへの置換である、請求項２又は３記載の方法。
【請求項５】
前記緑内障が、原発性開放隅角緑内障及び／又は正常眼圧緑内障である請求項１〜４の何れかに記載の方法。
【請求項６】
核酸増幅法によってオプティニューリン遺伝子の変異を検出するためのプライマーであり、以下よりなる群から選択される少なくとも１つのプライマー：
１）配列番号２１記載の塩基配列又はその相補配列を有するプライマー；
２）前記１）のプライマーにおいて、１ないし数個の塩基が置換、欠失、挿入若しくは付加された塩基配列を有し、プライマー機能を有するプライマー；
３）配列番号２２記載の塩基配列又はその相補配列を有するプライマー；
４）前記３）のプライマーにおいて、１ないし数個の塩基が置換、欠失、挿入若しくは付加された塩基配列を有し、プライマー機能を有するプライマー；
５）配列番号２７記載の塩基配列又はその相補配列を有するプライマー；
６）前記５）のプライマーにおいて、１ないし数個の塩基が置換、欠失、挿入若しくは付加された塩基配列を有し、プライマー機能を有するプライマー；
７）配列番号２８記載の塩基配列又はその相補配列を有するプライマー；及び
８）前記７）のプライマーにおいて、１ないし数個の塩基が置換、欠失、挿入若しくは付加された塩基配列を有し、プライマー機能を有するプライマー。
【請求項７】
請求項６の１）記載のプライマー又は請求項６の２）記載のプライマーと、
請求項６の３）記載のプライマー又は請求項６の４）記載のプライマーとを含む、オプティニューリン遺伝子の変異を核酸増幅法によって検出するためのプライマーセット。
【請求項８】
前記オプティニューリン遺伝子の変異が、配列番号１記載のオプティニューリン遺伝子の塩基配列における６１９位の変異である、請求項７記載のプライマーセット。
【請求項９】
請求項６の５）記載のプライマー又は請求項６の６）記載のプライマーと、
請求項６の７）記載のプライマー又は請求項６の８）記載のプライマーとを含む、オプティニューリン遺伝子の変異を核酸増幅法によって検出するためのプライマーセット。
【請求項１０】
前記オプティニューリン遺伝子の変異が、配列番号１記載のオプティニューリン遺伝子の塩基配列における８９８位の変異である、請求項９記載のプライマーセット。
【手続補正２】
【補正対象書類名】明細書
【補正対象項目名】０００８
【補正方法】変更
【補正の内容】
【０００８】
すなわち本発明は、以下よりなる。
１．配列番号１記載のオプティニューリン遺伝子の塩基配列において、少なくとも１箇所の塩基の変異を検出することにより、緑内障の発症リスクを予測する、緑内障発症リスクの予測方法。
２．前記変異が、６１９位の変異及び８９８位の変異からなる群より選択される、前項１記載の方法。
３．前記６１９位の変異が、ＡからＧへの置換である、前項２記載の方法。
４．前記８９８位の変異が、ＧからＡへの置換である、前項２又は３記載の方法。
５．前記緑内障が、原発性開放隅角緑内障及び／又は正常眼圧緑内障である前項１〜４の何れかに記載の方法。
６．核酸増幅法によってオプティニューリン遺伝子の変異を検出するためのプライマーであり、以下よりなる群から選択される少なくとも１つのプライマー：
１）配列番号２１記載の塩基配列又はその相補配列を有するプライマー；
２）前記１）のプライマーにおいて、１ないし数個の塩基が置換、欠失、挿入若しくは付加された塩基配列を有し、プライマー機能を有するプライマー；
３）配列番号２２記載の塩基配列又はその相補配列を有するプライマー；
４）前記３）のプライマーにおいて、１ないし数個の塩基が置換、欠失、挿入若しくは付加された塩基配列を有し、プライマー機能を有するプライマー；
５）配列番号２７記載の塩基配列又はその相補配列を有するプライマー；
６）前記５）のプライマーにおいて、１ないし数個の塩基が置換、欠失、挿入若しくは付加された塩基配列を有し、プライマー機能を有するプライマー；
７）配列番号２８記載の塩基配列又はその相補配列を有するプライマー；及び
８）前記７）のプライマーにおいて、１ないし数個の塩基が置換、欠失、挿入若しくは付加された塩基配列を有し、プライマー機能を有するプライマー。
７．前項６の１）記載のプライマー又は前項６の２）記載のプライマーと、
前項６の３）記載のプライマー又は前項６の４）記載のプライマーとを含む、オプティニューリン遺伝子の変異を核酸増幅法によって検出するためのプライマーセット。
８．前記オプティニューリン遺伝子の変異が、配列番号１記載のオプティニューリン遺伝子の塩基配列における６１９位の変異である、前項７記載のプライマーセット。
９．前項６の５）記載のプライマー又は前項６の６）記載のプライマーと、
前項６の７）記載のプライマー又は前項６の８）記載のプライマーとを含む、オプティニューリン遺伝子の変異を核酸増幅法によって検出するためのプライマーセット。
１０．前記オプティニューリン遺伝子の変異が、配列番号１記載のオプティニューリン遺伝子の塩基配列における８９８位の変異である、前項９記載のプライマーセット。
【手続補正書】
【提出日】平成18年5月30日(2006.5.30)
【手続補正１】
【補正対象書類名】明細書
【補正対象項目名】０００８
【補正方法】変更
【補正の内容】
【０００８】
本発明の鑑別法は、皮膚の状態の鑑別法であって、予め状態の異なる２種以上の状態の皮膚の近赤外吸収スペクトルを測定し、前記近赤外吸収スペクトルと状態の示性値とを多変量解析により分析し、該分析結果と試験試料の近赤外吸収スペクトルとを比較し、試験試料の状態を推定し、これを指標とすることを特徴とする。かかる指標、或いは鑑別に用いる近赤外吸収スペクトルは通常の回折格子を用いた分散型のものによるスペクトル、ダイオードアレーを用いた装置によるスペクトル、更にこれらをフーリエ変換したスペクトル、検出されたインターフェログラムをフーリエ変換したスペクトルの何れもが使用可能である。更に好ましいものは、分散型の装置によるスペクトルを更にフーリエ変換したもの等が例示できる。特に好ましいものは、フーリエ変換をしたスペクトルを用いることである。ここで、多変量解析（統計化学的処理）であるが、多変量解析とは、分光データなどの化学的な特性と物性などの特性値との関係を計量学的な処理によって関係づけ、解析する手法であり、重回帰分析或いは主成分分析などが知られている。この内、重回帰分析としてはＰＬＳ分析が好適に例示できる。このＰＬＳ分析であるが、この分析法は特定の試料に於ける波長などの連続的な因子の変化に対して、吸光度などの変数の出現する分光スペクトルパターンと当該試料のある示性値の間の関係を分析する場合において、各示性値と因子ごとの変数の変化を分析する手技として確立されているものである。又、主成分分析は、同様な分析において、変動に寄与する第一主成分を分析し、しかる後この第一主成分軸に対して直交する第二主成分軸を分析し、この２つの主成分軸がつくる座標におけるパターン変化で物性を比較、推定する方法である。この様なＰＬＳ分析或いは主成分分析と言った、多変量解析は、市販されているソフトウェアを使用して行うことができる。このような多変量解析用のソフトウェアとしては、例えば、ＧＬサイエンス社より販売されている、ピロエット（ＰＩＲＯＵＥＴＴ）、サイバネットシステム社より販売されている、マットラボ（ＭＡＴＬＡＢ）横川電気株式会社より販売されている、アンスクランブラーＩＩ（ＵｎｓｃｒａｎｂｌｅｒＩＩ）、セパノヴァ（ＳＥＰＡＮＯＶＡ）社より販売されているシムカ（ＳＩＭＣＡ）等のソフトウェアが例示できる。又、これらに加えてシムカ（ＳＩＭＣＡ）と言われるアルゴリズムを加えることができる。かかるアルゴリズムは前記ソフトウェア中に組み込まれている場合が多く、主成分分析の表示に有用である。これらのソフトウェアを利用して、近赤外吸収スペクトルを解析し、その結果を本発明の鑑別法で用いる場合、大凡の処理ステップは次に示す手順による。この時、使用するフーリエ変換近赤外吸収スペクトルは測定して得られた原スペクトルでも良いし、前記原スペクトルをデータ加工したものでも良い。データ加工の方法としては、例えば、一次微分値、二次微分値、三次微分値などの多次微分値や平滑化（Smoothing）、ノーマライズ（Nor
malize）、MSC（Multiplicative Scatter Correction）、SNV（Standard Normal Variate）、平均化（Mean-Center）、オートスケール（Autoscale）などが好ましく例示できる。この内、好ましいものは原スペクトル或いはその二次微分値である。かくして、分析すると皮膚の状態を表す示性値と皮膚のフーリエ変換近赤外吸収スペクトルの間には良好な相関関係がある。
【手続補正２】
【補正対象書類名】明細書
【補正対象項目名】００１０
【補正方法】変更
【補正の内容】
【００１０】
本発明の鑑別法で使用されるフーリエ変換近赤外吸収スペクトルとしては、４０００〜８０００ｃｍ−１の内の少なくとも４００ｃｍ−１が好ましい波長領域であり、特に好ましい波長領域では４３００〜５０００ｃｍ−１、５０００〜５５００ｃｍ−１、５５００〜６１００ｃｍ−１、６７００〜７５００ｃｍ−１である。これは、この波長領域に於けるスペクトルが皮膚の状態の示性値を良く反映しているからである。この範囲の近赤外吸収スペクトルは皮膚内の蛋白質の存在状態とその挙動を的確に捉えていることもその一因と考えられる。
【手続補正書】
【提出日】平成18年7月5日(2006.7.5)
【手続補正１】
【補正対象書類名】明細書
【補正対象項目名】００１２
【補正方法】変更
【補正の内容】
【００１２】
尚、上記の説明では検出手段のスイッチ４は、衣類等が掛けられたり、はずされたりした時を検出する２個のスイッチ４１，４２を使用した例について説明したが、スイッチ４には１個のスイッチを使用して衣類等が掛けられたり、はずされたりした状態を検出するように構成することも可能である。
又、検出手段のスイッチ４は、フック２の下部２２により動作されるような例について説明したが、スイッチ４をハンガーの衣類等が掛けられる位置にセットし、衣類等の重量により、又は衣類等が掛けられたことを光により検出してスイッチ４を動作させるように構成することも可能である。
又、音声信号を発生する集積回路５に、衣類等が掛けられた時発生する音と、
衣類等がはずされた時発生する音を発生するために２個の集積回路５１，５２を使用した例について説明したが、音声信号を発生する集積回路５には、１個の集積回路を使用し、衣類等が掛けられた時発生する音と、衣類等がはずされた時発生する音を記憶させるようにすることも可能である。
【手続補正書】
【提出日】平成18年5月23日(2006.5.23)
【手続補正１】
【補正対象書類名】明細書
【補正対象項目名】００３３
【補正方法】変更
【補正の内容】
【００３３】
図３に表れているように、傘保持ブロック３はまた、その両側縁の下面側に上記ベース面３２からその裏面側に垂下するフランジ部３５が形成されている。また、上記ベース面３２の裏面側には、上記フランジ部３５とこれに隣接する筒状部３４をつなぎ、かつ横方向に隣接する筒状部３４間をつなぐ、横方向に延びるリブ３６ａ、および、横方向に隣接する筒状部３４間において、上記横方向に延びるリブ３６ａと交差しつつ、縦方向に延びるリブ３６ｂが形成されており、上記フランジ部３５および上記各リブ３６ａ，３６ｂにより、傘保持ブロック３の剛性を確保している。
【手続補正２】
【補正対象書類名】明細書
【補正対象項目名】００３５
【補正方法】変更
【補正の内容】
【００３５】
水受けトレイ４は、平面視矩形状をした樹脂製の部材であり、図１および図２に表れているように、周囲部を除く部位が盆状に窪んでいる。この水受けトレイ４の奥方縁および手前縁の下面側には、第３ロッド２ｃおよび第４ロッド２ｄに載るようにして係合する係合凹部４１が形成されており、したがって、この水受けトレイ４は、この係合凹部４１を第３ロッド２ｃおよび第４ロッド２ｄに係合させるようにして、これら第３ロッド２ｃおよび第４ロッド２ｄに支持される。なお、この水受けトレイ４の横方向幅は、上記傘保持ブロック３の横方向幅と同じ幅とされている。
【手続補正３】
【補正対象書類名】明細書
【補正対象項目名】００３７
【補正方法】変更
【補正の内容】
【００３７】
一対の側板１は、側面視において略矩形状の樹脂製の部材であり、左右対称形である。これらの側板１の一面には、その奥方および手前方において、それぞれ縦方向に等間隔に並ぶ複数のロッド連結部１１が形成されている。これらのロッド連結部１１は、図４によく表れているように、ロッド端部２１（図６参照）を密に嵌合挿入しうる有底孔１１ａによって形成されている。より詳細には、側板１の一面からロッド２の径よりやや大径の有底孔１１ａを形成するとともに、この有底孔１１ａの内面に、孔の軸線方向に延びる凸条１１ｂを形成している。実施形態では、この凸条１１ｂは等間隔に３箇所形成されており、これらの凸条１１ｂの内接円の径は、上記ロッド２の外径よりもやや小としてある。このロッド連結部１１にロッド２の端部２１を押し込むと、上記凸条１１ｂが若干弾性圧縮変形するようにして、挿入されたロッド端部２１を密に摩擦保持する。すなわち、このような構成のロッド連結部１１は、上記凸条１１ｂが変形容易部となって、上記有底孔１１ａあるいはロッド２の外径の誤差を吸収し、常に適度な摩擦力でロッド端部２１を摩擦保持することができる。そうして、図５に表れているように、この側板１の他面側には、各有底孔状のロッド連結部１１と対応させて円形凹部１２が形成されている。
【手続補正４】
【補正対象書類名】明細書
【補正対象項目名】００３９
【補正方法】変更
【補正の内容】
【００３９】
図６および図７には、各ロッド２（２ａ〜２ｄ）の側板１に対する連結構造の詳細が示されている。上記のようにして有底孔状のロッド連結部１１に嵌合保持されたロッド２の端面２２には、ナット部材２３が埋め込まれており、このナット部材２３に対し、側板１の外面側から挿入したねじ２４がねじ込まれる。そのため、有底孔１１ａの底部には、ねじ２４が挿通しうる透孔１１ｃが形成されるが、この透孔１１ｃは、ロッド端部２１を連結するべく選択したロッド連結部１１についてのみ、あらかじめ開設すればよい。上記したように、側板１は、樹脂製であるため、このような透孔１１ｃを開けることは、なんら問題なく行なえる。また、上記ねじ２４の頭部２４ａは、側板１の他面側において、円形凹部１２内に都合よく収容され、このようなねじ頭部２４ａが外部に露出することはない。
【手続補正５】
【補正対象書類名】明細書
【補正対象項目名】００４５
【補正方法】変更
【補正の内容】
【００４５】
上記構成の傘立てＡは、両側板１，１間をつなぎ、傘保持ブロック３および水受けトレイ４を支持する第１〜第４ロッド２ａ〜２ｄが金属製のパイプによって構成されているにもかかわらず、第１および第２ロッド２ａ，２ｂについては、各傘保持ブロック３の奥方縁および手前縁に形成された湾曲状フランジ部３７によって覆い隠され、第３および第４ロッド２ｃ，２ｄについては、これらの上部に係合支持された水受けトレイ４によって隠されるので、外観上、金属部材はほとんど外部に現れない。また、各ロッド２ａ〜２ｄを側板１に固定するために側板１の他面側からねじこんだねじ２４の頭部２４ａは側板１の外面側に形成した円形凹部１２内に収容されていて、これによっても、金属部材が突出状に露出することがない。したがって、この傘立てＡは、従来にはないソフトな外観を形成するとともに、金属部に当たって怪我をするといった心配は、ほとんど皆無となる。
【手続補正６】
【補正対象書類名】図面
【補正対象項目名】図２
【補正方法】変更
【補正の内容】
【図２】
2005034262.tif 000001
【手続補正７】
【補正対象書類名】図面
【補正対象項目名】図５
【補正方法】変更
【補正の内容】
【図５】
2005034262.tif 000002
【手続補正書】
【提出日】平成18年5月8日(2006.5.8)
【手続補正１】
【補正対象書類名】明細書
【補正対象項目名】特許請求の範囲
【補正方法】変更
【補正の内容】
【特許請求の範囲】
【請求項１】
血液と接触し得る医療用材料であって、
繊維と、前記繊維の表面上の少なくとも一部に、分子内にウレタン結合を有する高分子化合物の被膜とを有することを特徴とする医療用材料。
【請求項２】
前記繊維は、ポリエステル製の不織布である請求項１に記載の医療用材料。
【請求項３】
前記高分子化合物は、ポリウレタンである請求項１または２に記載の医療用材料。
【請求項４】
前記ポリウレタンは、イソシアネート基を有する化合物と、ポリエーテルポリオールとの付加反応により得られる請求項３に記載の医療用材料。
【請求項５】
前記繊維の表面上に、前記高分子化合物の被膜を形成する際に、所定の溶媒に前記高分子化合物を溶解した溶液をコーティングする請求項１ないし４のいずれかに記載の医療用材料。
【請求項６】
前記繊維の表面上に、前記高分子化合物の被膜を形成する際に、所定の溶媒に前記高分子化合物を溶解した溶液に、前記繊維を浸漬した後に、前記繊維に熱を加えて乾燥する請求項１ないし４のいずれかに記載の医療用材料。
【請求項７】
前記高分子化合物を溶解した溶液の濃度は、１．０〜６．０ｗｔ％である請求項５または６に記載の医療用材料。
【請求項８】
流入口と流出口を有するハウジングを備え、
前記ハウジング内に、請求項１ないし７のいずれかに記載の医療用材料から構成された濾材を収納してなることを特徴とする血液処理フィルター。
【請求項９】
前記濾材は、実質的に被処理液から白血球を除去するとともに、血小板を回収するものである請求項８に記載の血液処理フィルター。
【請求項１０】
前記濾材は、前記被膜にカチオン化層を有する医療材料から構成されており、かつ、実質的に被処理液から白血球および血小板を除去するものである請求項８に記載の血液処理フィルター。
【手続補正２】
【補正対象書類名】明細書
【補正対象項目名】００１１
【補正方法】変更
【補正の内容】
【００１１】
【課題を解決するための手段】
このような目的は、下記（１）〜（１０）の本発明により達成される。
【手続補正３】
【補正対象書類名】明細書
【補正対象項目名】００１６
【補正方法】変更
【補正の内容】
【００１６】
（５）  前記繊維の表面上に、前記高分子化合物の被膜を形成する際に、所定の溶媒に前記高分子化合物を溶解した溶液をコーティングする上記（１）ないし（４）のいずれかに記載の医療用材料。
（６） 前記繊維の表面上に、前記高分子化合物の被膜を形成する際に、所定の溶媒に前記高分子化合物を溶解した溶液に、前記繊維を浸漬した後に、前記繊維に熱を加えて乾燥する上記（１）ないし（４）のいずれかに記載の医療用材料。
（７）  前記高分子化合物を溶解した溶液の濃度は、１．０〜６．０ｗｔ％である上記（５）または（６）に記載の医療用材料。
（８）  流入口と流出口を有するハウジングを備え、
前記ハウジング内に、上記（１）ないし（７）のいずれかに記載の医療用材料から構成された濾材を収納してなることを特徴とする血液処理フィルター。
（９）  前記濾材は、実質的に被処理液から白血球を除去するとともに、血小板を回収するものである上記（８）に記載の血液処理フィルター。
（１０）  前記濾材は、前記被膜にカチオン化層を有する医療材料から構成されており、かつ、実質的に被処理液から白血球および血小板を除去するものである上記（８）に記載の血液処理フィルター。
【手続補正書】
【提出日】平成18年5月26日(2006.5.26)
【手続補正１】
【補正対象書類名】明細書
【補正対象項目名】特許請求の範囲
【補正方法】変更
【補正の内容】
【特許請求の範囲】
【請求項１】  遊技球を受け入れる入賞口及び透光性の装飾部を有する装飾部材と、前記装飾部材が組み込まれる貫通孔が形成された遊技盤と前記遊技盤の裏面に着脱自在に取り付けられ、遊技の実行処理を行う制御装置を保持する支持部材とを備えた弾球遊技機において、
前記支持部材は、照明装置と、前記入賞口で受け入れた遊技球を回収する球通路及び前記照明装置からの光を反射させる反射面が形成され、前記支持部材から着脱自在なブラケットとを備え、
前記遊技盤に前記支持部材が取り付けられた状態では前記反射面で反射した光が前記装飾部に照射されることを特徴とする弾球遊技機。
【請求項２】  前記ブラケットの前面には、周囲がリブによって囲まれた組み付け部が形成され、前記組み付け部に前記照明装置が取り付けられ、前記ブラケットの裏面には前記球通路が形成され、前記遊技盤に前記装飾部材及び前記支持部材を取り付けると前記装飾部の裏面と前記照明装置が対峙することを特徴とする請求項１記載の弾球遊技機。
【請求項３】  前記装飾部の裏面には鋸歯状の拡散面が形成されており、前記装飾部で受けた光が拡散されることを特徴とする請求項１又は２記載の弾球遊技機。
【手続補正２】
【補正対象書類名】明細書
【補正対象項目名】０００３
【補正方法】変更
【補正の内容】
【０００３】
このような遊技領域に対して反対側となる遊技盤の後面には、入賞チャッカやアタッカ等の入賞口に入った遊技球を、所定の受け部へとガイドする誘導リブ等の誘導部材が設けられた支持部材が組み付けられる。なお、この支持部材には、パチンコ機を制御するための主制御回路基板（装置）、ランプ制御回路基板（装置）及び音声制御回路基板（装置）等の制御回路基板（制御装置）の他に、例えば図柄等の識別情報を変動表示させた後に停止表示するための図柄表示装置等が組み付けられる。これにより、遊技盤を取り外した場合には、上記支持部材を同時に本体基部から取り外すことができるので、組み付けの際の作業性を向上させることが可能となる。
【特許文献１】特開平１０−２５８１５８号公報
【特許文献２】特開２００３−１０３００２号公報
【手続補正３】
【補正対象書類名】明細書
【補正対象項目名】０００６
【補正方法】変更
【補正の内容】
【０００６】
【課題を解決するための手段】
上記目的を達成するために、本発明の弾球遊技機は、遊技球を受け入れる入賞口及び透光性の装飾部を有する装飾部材と、前記装飾部材が組み込まれる貫通孔が形成された遊技盤と前記遊技盤の裏面に着脱自在に取り付けられ、遊技の実行処理を行う制御装置を保持する支持部材とを備えた弾球遊技機において、前記支持部材は、照明装置と、前記入賞口で受け入れた遊技球を回収する球通路及び前記照明装置からの光を反射させる反射面が形成され、前記支持部材から着脱自在なブラケットとを備え、前記遊技盤に前記支持部材が取り付けられた状態では前記反射面で反射した光が前記装飾部に照射されるものである。
【手続補正４】
【補正対象書類名】明細書
【補正対象項目名】０００７
【補正方法】変更
【補正の内容】
【０００７】
なお、前記ブラケットの前面には、周囲がリブによって囲まれた組み付け部が形成され、前記組み付け部に前記照明装置が取り付けられ、前記ブラケットの裏面には前記球通路が形成され、前記遊技盤に前記装飾部材及び前記支持部材を取り付けると前記装飾部の裏面と前記照明装置が対峙することが好ましく、前記装飾部の裏面には鋸歯状の拡散面が形成されており、前記装飾部で受けた光が拡散されることがより好ましい。
【手続補正書】
【提出日】平成18年2月6日(2006.2.6)
【手続補正１】
【補正対象書類名】明細書
【補正対象項目名】０００２
【補正方法】変更
【補正の内容】
【０００２】
ゴルフクラブは、ゴルフボールの飛距離，直進性を向上させるため種々の改良が形状や構造に加えられており、飛距離アップにシャフトの軽量化が重視されている。シャフトの軽量化に薄肉化が採用されているが、単に薄肉化しただけではシャフトが変形，折損する危険が高くなるので、シャフト材質の高強度化，強靭化が重要となる。たとえば、シャフト用鋼材の成分に加えて成形加工後の熱処理条件を調整するとき、強度，靭性を向上させたスチールシャフトが得られる（特許文献１）。
【特許文献１】特公平３−４４１２６号公報
【手続補正２】
【補正対象書類名】明細書
【補正対象項目名】０００３
【補正方法】変更
【補正の内容】
【０００３】
最近の傾向として、シャフトの軽量化が一層強く求められており、従来の高強度化，強靭化では十分に応えることができない。
薄肉化（軽量化）を前提としたシャフトの変形を防止する上では、構造による特性改善だけでは限界があり、シャフト用素材の耐力，強度，靱性を高める必要がある。変形防止にはシャフトが塑性変形するまでの応力を高める（換言すれば、高弾性化）ことが要求され、折損防止にはシャフトが破断するまでの応力を高める高強度化や破壊に至るまでの吸収エネルギーを高める強靭化が要求される。また、鋼材から溶接鋼管を経てシャフト形状に成形加工されるスチールシャフトでは溶接性，成型加工性は勿論、疵，欠陥のない美麗な表面性状も重要な要件である。